(57)【要約】      （修正有）【課題】じょうろで散水する時、じょうろが目詰まりを起こして、散水が順調に続けられなくなっても、ワンタッチ的に簡単な操作で、散水を順調に継続でき、且つ、目詰まりの原因の汚れやゴミを、散水で自然に洗い流せるようにした、じょうろ口を提供する。【解決手段】ゴム又は合成樹脂又は金属の弾性を有する材料で円形で凹レンズ状に一方に膨らんだ形態であって、膨らみの中央部の裏表の凹凸を逆転できる多数の散水孔を有する散水孔板１の側部に、一対の反転軸３と一つのつまみ手４を設ける。一対の軸受溝７とつまみ手溝を設けたじょうろ口体５の開口部６に、反転軸３を軸受溝７につまみ手４をつまみ手溝の一方にそれぞれ嵌め込んで組み合わせた構成とする。これにより、つまみ手４を持ってつまみ手溝から外して半転させると散水孔板１の裏表が反転できる。【選択図】図１
0003197689.tif 000002
【実用新案登録請求の範囲】
【請求項１】
散水孔板１の凸面を成す外表面の中央部を内方に押し込むことにより、凹面を成している裏面との凹凸が逆転する構造で、且つ、散水孔板１の裏表を反転させることができる構造で、散水孔板１を反転させても、常に、散水孔板１の外表面が凸面になるようにしたじょうろ口。
【考案の詳細な説明】
【技術分野】
【０００１】  本考案は、じょうろ使用時に、散水孔の目詰まりによる散水量の減弱を防ぐために、目詰まりの原因になる汚れやゴミを取り除く、あるいは、汚れやゴミの除去具を設けるなどすることなしに、目詰まりした時に、散水孔板を即刻簡単に反転して、じょうろの順調な散水を継続できるようにしたものである。
【背景技術】
【０００２】  従来は、じょうろの散水孔が目詰まりすると、散水を中断して、目詰まりの原因である汚れやゴミを取り除かないと、散水が思うように続けられなかった。
又、目詰まりを防ぐために、汚れやゴミの除去具を装着するなどの方法も取っていた。
【考案の概要】
【考案が解決しようとする課題】
【０００３】  じょうろを使って散水している時、散水孔が目詰まりを起こして困るとか、散水を中断して、目詰まりの原因である汚れやゴミを取り除いてから、散水を再開する必要があり、又、それを何度も繰り返すことが往々にしてあり、その手間は面倒で、時間的ロスも大きい。
又、汚れやゴミなどの除去具などを装備するものについては、それを不要にする。
本考案は、これらの課題を解決するためになされたものである。
【課題を解決するための手段】
【０００４】  弾性を有する材料で作った、円形の散水孔板１の、凸面になっている外表面の中央部を、指で内方に押し込むことにより、表の面が凹面に、凹面になっている裏面が凸面に、凹凸が逆転するように、散水孔板１を作っておき、散水孔板１の側方の、円形での対称の部位に一対の反転軸３と、一対の反転軸３の中間となる側方の一方の部位に、つまみ手４を設けておく。
又、じょうろ口体５の散水する側の開口部６は円形で、内周が散水孔板１の外周にピッタリ一致するように作り、じょうろ口体５と散水孔板１を組み合わせた時に、散水孔板１の反転軸３及びつまみ手４に対応する、開口部６の部位に、軸受溝７及びつまみ手溝８を、それぞれ一対設けておく。
そして、じょうろ口体５の軸受溝７に、外表面を凸面にした状態の散水孔板１の、反転軸３を嵌め込み、つまみ手４は一対のつまみ手溝８の一方に嵌め込んで、じょうろ口体５と散水孔板１を組み合わせることによって、本考案のじょうろ口を完成し、このじょうろ口を、じょうろ本体につないで散水を行う。
散水に当たっては、散水中にじょうろが目詰まりを起こした時に、散水孔板１の凸面になっている外表面の中央部を指で内方に押し込んで、凹面になるように逆転させた上で、つまみ手４を持って、散水孔板１の裏表を反転させて、引き続き散水を継続する。
【考案の効果】
【０００５】  じょうろにより散水している時に、散水孔２の目詰まりで散水量が減弱したり、止水しても、散水孔板１を即時に反転させることにより、目詰まりを起こした原因の汚れやゴミは、散水により、外表面から洗い流され、順調な散水が継続できる。
それ故に、汚れやゴミを取り除く手間も時間的ロスも不要になる。
又、目詰まりの原因になる汚れやゴミの除去具の装着なども必要がない。
又、目詰まりしないように気遣いしながら散水する、心理的負担も無くなり、極めて便利で重宝である
【図面の簡単な説明】
【０００６】
【図１】  本考案の左側面図である。
【図２】  本考案の正面図である。
【考案を実施するための形態】
【０００７】  以下、本案の実施の形態について説明する。
（イ）  じょうろ口体５の散水する側の、円形を成す開口部６の円形での対称の部位に、切込み形態で、一対の奥太の軸受溝７を設けておく。又、この一対の軸受溝７の中間に位置する開口部６の部位には、一対の奥太のつまみ手溝８を設けておく。この軸受溝７、つまみ手溝８は、散水孔板１の反転軸３及びつまみ手４を、ある程度の力で嵌めこむことができるように作り、外す時もある程度の力を入れることにより外れるようにしておく。ただし、反転軸３は、通常、外す必要はない。
（ロ）  じょうろ口体５の開口部６の内周は、散水孔板１の外周にピッタリ一致するようにして、両者が組み合わさった時に、水漏れが殆んどないようにしておく。
（ハ）  多数の散水孔２を設けた、円形を成す散水孔板１は、弾性を有する材料で作り、表の面が凸面を成し、裏面が凹面を成す球面状にしておき、凸面の中央部を指で押し込むと凸面と凹面が逆転するように作っておく。
（ニ）  又、散水孔板１の外側にはじょうろ口体５と組み合わせた時に、じょうろ口体５の一対の軸受溝７に対応する、円形での対称の部位に、一対の反転軸３を設け、一対のつまみ手溝８に対応する部位の一方に、つまみ手４を設けておく。尚、つまみ手４を設けない逆側などから水漏れがするようであれば、散水孔板１の周側を厚くするなどの策を講ずればよい。
（ホ）  じょうろ口体５の開口部６の軸受溝７に、散水孔板１の外表面が凸面の状態で、反転軸３を嵌め込み、又、つまみ手溝８の一方につまみ手４を嵌め込み、じょうろ口体５と散水孔板１を組み合わせて、本考案であるじょうろ口を作る。
（ヘ）  じょうろ本体に、このじょうろ口を装着して、じょうろとして使用する。その際、散水孔２の目詰まりで、散水量が減少などした時には、散水孔板１の凸面である外表面の中央部を指で内方に押し込んで、凹凸面を逆転させてから、つまみ手４を持って、散水孔板１を反転して、引き続き散水を継続すればよい。
このようにすれば、目詰まりの原因になった汚れやゴミは、外表面に現れ、散水で洗い流されるので、順調に散水を続けることができる。
（ト）  尚、散水孔板１の外表面が凸面になっているのは、散水を広げるためなので、通常、外表面は凸面にしておく必要がある。又、散水が減弱したりすることなく続けられることが肝要である。
（チ）  又、じょうろ口体５の開口部６及び散水孔板１の円形は、楕円形とか、長方形、正方形、正六角形などにすることも可能である。
（リ）  又、一対の軸受溝７は、一方又は両方を軸受穴にすることもできるが、一対の軸受穴の場合は、一対の反転軸３間を押し縮めるなどして、反転軸３を軸受穴に差し込むことになる。
（ヌ）  又、本考案は、散水孔板１をじょうろ口体５に対して、キャップ式にするなどの方法によっても、実施可能である。
【符号の説明】
【０００８】１  散水孔板
２  散水孔
３  反転軸
４  つまみ手
５  じょうろ口体
６  開口部
７  軸受溝
８  つまみ手溝
【図１】
0003197689.tif 000003
【図２】
0003197689.tif 000004
【手続補正書】
【提出日】平成26年12月9日(2014.12.9)
【手続補正１】
【補正対象書類名】実用新案登録請求の範囲
【補正対象項目名】請求項１
【補正方法】変更
【補正の内容】
【請求項１】
散水孔板１の凸面を成す外表面の中央部を内方に押し込むことにより、凹面を成している裏面との凹凸が逆転する構造のじょうろ口。
【手続補正２】
【補正対象書類名】実用新案登録請求の範囲
【補正対象項目名】請求項２
【補正方法】追加
【補正の内容】
【請求項２】
散水孔板１に、一対の反転軸３、つまみ手４、及び、じょうろ口体５の開口部６に、一対の軸受溝７又は、軸受溝７の代わりの軸受穴と、一対のつまみ手溝８を設けて、散水孔板１を反転できるようにしたじょうろ口。
【手続補正書】
【提出日】平成26年12月15日(2014.12.15)
【手続補正１】
【補正対象書類名】実用新案登録請求の範囲
【補正対象項目名】請求項１
【補正方法】変更
【補正の内容】
【請求項１】
散水孔板１の凸面を成す外表面の中央部を内方に押し込むことにより、凹面を成している裏面との凹凸が逆転する構造の散水孔板１。
【手続補正書】
【提出日】平成26年12月25日(2014.12.25)
【手続補正１】
【補正対象書類名】実用新案登録請求の範囲
【補正対象項目名】請求項２
【補正方法】変更
【補正の内容】
【請求項２】
散水孔板１の凸面を成す外表面の中央部を内方に押し込むことにより、凹面を成している裏面との凹凸が逆転する構造の散水孔板１に、一対の反転軸３、つまみ手４を、及び、じょうろ口体５の開口部６に、一対の軸受溝７又は軸受溝の代わりの軸受穴と、一対のつまみ手溝８を設けて、散水孔板１とじょうろ口体５を組み合わせて、散水孔板１を１８０度回転させて反転できるようにしたじょうろ口。
【手続補正書】
【提出日】平成27年2月26日(2015.2.26)
【手続補正１】
【補正対象書類名】実用新案登録請求の範囲
【補正対象項目名】全文
【補正方法】変更
【補正の内容】
【実用新案登録請求の範囲】
【請求項１】
ゴム又は合成樹脂又は金属の弾性を有する材料で円形で凹レンズ状に一方に膨らんだ形態にして作り膨らみの中央部を押し込んで裏表の凹凸を逆転できるようにして作った多数の散水孔２を有する散水孔板１の側部に一対の反転軸３と一つのつまみ手４を設けて一対ずつ軸受溝７とつまみ手溝８を設けたじょうろ口体５の開口部６に反転軸３を軸受溝７につまみ手４をつまみ手溝８の一方にそれぞれ嵌め込んで組み合わせてつまみ手４を持ってつまみ手溝８から外して半転させると散水孔板１の裏表が反転できるようにしたじょうろ口。
【手続補正２】
【補正対象書類名】明細書
【補正対象項目名】全文
【補正方法】変更
【補正の内容】
【考案の詳細な説明】
【技術分野】
【０００１】  本考案は、じょうろが目詰まりした時に、原因のゴミを手などで取り除くことなしに、散水が継続できるようにした、じょうろ口に関するものである。
【背景技術】
【０００２】  従来は、じょうろの散水孔が目詰まりすると、散水を中断して、目詰まりの原因である汚れやゴミを取り除かないと、散水が思うように続けられなかった。
又、目詰まりを防ぐために、汚れやゴミの除去具を装着するなどの方法も取っていた。
【考案の概要】
【考案が解決しようとする課題】
【０００３】  じょうろによる散水中に、じょうろ内の水がゴミなどで汚れていて、散水孔が目詰まりを起こしても、ごく簡単な操作で、目詰まりの原因のゴミが、散水で自然に洗い流され、除去の手間に煩わされることなく、散水が継続できるようにする。
又、ゴミや汚れなどの除去具などを装備するものについては、それを不要にする。
本考案は、これらの課題を解決するためになされたものである。
【課題を解決するための手段】
【０００４】（イ）  通常、じょうろのじょうろ口においては、散水を広げるために、多数の散水孔を有する散水孔板は、散水方向に向かってふくらみ、球面状に凸面を成している。
（ロ）  弾性を有する、ゴム又は合成樹脂又は金属で作った、円形で、凹レンズ状に、一方に、球面状の膨らみを持たせた形態で、多数の散水孔２を有する、散水孔板１の、中心線上に位置する両側部に、一対の反転軸３を設け、それに直交する中心線上に位置する一方の側部に、つまみ手４を設けておく。
（ハ）  そして、散水孔板１の直径と等しい内径の、合成樹脂等で作った、じょうろ口体５の開口部６に、散水孔板１を組み合わせた時に対応する位置に、一対ずつ、軸受溝７とつまみ手溝８を設けておく。
（二）  このようにして作った散水孔板１の一対の反転軸３を、散水孔板１の膨らみが外方になるようにして、じょうろ口体５の開口部６の軸受溝７に、それぞれ嵌め込み、つまみ手４はつまみ手溝８の一方に嵌め込んで、じょうろ口を作る。
この時、反転軸３は容易に外れないように、軸受溝７の入り口を狭めにしておき、つまみ手溝８の入り口は、つまみ手４を付け外しするのに困らない程度にしておく。
（ホ）  尚、じょうろ口体５の開口部６及び散水孔板１の円形は、楕円形にすることも可能である。
（ヘ）  又、本考案のじょうろ口は、じょうろ本体に固定しても問題はない。
（ト）  又、本考案は、散水孔板１を、じょうろ口体５に対して、キャップ式にすることも可能であるが、この場合、キャップの付け外しの手間がかかる。
【考案の効果】
【０００５】  じょうろにより散水している時に、散水孔板１の裏面での散水孔２の目詰まりで、散水量が減弱したり、止水しても、散水孔板１を即時に反転させることにより、目詰まりを起こした原因のゴミなどは、散水を再開することによって、外表面から洗い流され、順調な散水が継続できる。
それ故に、ゴミなどを取り除く手間も時間的ロスも不要になる。
又、目詰まりしないように気遣いしながら散水する、心理的負担も無くなり、楽で、便利である。
又、目詰まりの原因になるゴミ除去具の装着なども不要になる。
【図面の簡単な説明】
【０００６】
【図１】  本考案の左側面図である。
【図２】  本考案の正面図である。
【考案を実施するための形態】
【０００７】  以下、本考案の実施の形態を説明する。
（イ）  本考案のじょうろ口を使って散水している時、散水孔２が散水孔板１の裏面で目詰まりして、散水量が減弱しても、一旦、散水を止めて、散水孔板１の膨らみの中央部を、指で内方に押し込んで、表の面と裏面の凹凸を逆転させておき、次いで、つまみ手４を持って、つまみ手溝８から外し、反転軸３を軸にして、散水孔板１を半転して、つまみ手４を他方のつまみ手溝８に嵌めると、ゴミなどで汚れていた裏面が、外方に膨らんだ状態で出てくる。
（ロ）  この操作をして、散水を再開すると、散水によってゴミなどの汚れは洗い流され、目詰まりは解消され、散水を継続できる。
（ハ）  こうすることにより、水のゴミや汚れがひどくて何度も目詰まりしても、その都度、簡単な操作を繰り返すことで、順調な散水が継続できる。
【符号の説明】
【０００８】１  散水孔板
２  散水孔
３  反転軸
４  つまみ手
５  じょうろ口体
６  開口部
７  軸受溝
８  つまみ手溝
【手続補正書】
【提出日】平成27年3月2日(2015.3.2)
【手続補正１】
【補正対象書類名】明細書
【補正対象項目名】０００４
【補正方法】変更
【補正の内容】
【０００４】（イ）  通常、じょうろのじょうろ口においては、散水を広げるために、多数の散水孔を有する散水孔板は、散水方向に向かってふくらみ、球面上に凸面を成している。
（ロ）  弾性を有する、ゴム又は合成樹脂又は金属で作った、円形で、凹レンズ状に、一方に、球面状の膨らみを持たせた形態で、多数の散水孔２を有する、散水孔板１の、中心線上に位置する両側部に、一対の反転軸３を設け、それに直交する中心線上に位置する一方の側部に、つまみ手４を設けておく。
（ハ）  そして、散水孔板１の直径と等しい内径の、合成樹脂等で作った、じょうろ口体５の開口部６に、散水孔板１を組み合わせた時に対応する位置に、一対ずつ、軸受溝７とつまみ手溝８を設けておく。
（ニ）  このようにして作った散水孔板１の一対の反転軸３を、散水孔板１の膨らみが外方になるようにして、じょうろ口体５の開口部６の軸受溝７に、それぞれ嵌め込み、つまみ手４はつまみ手溝８の一方に嵌め込んで、じょうろ口を作る。
この時、反転軸３は容易に外れないように、軸受溝７の入り口を狭めにしておき、つまみ手溝８の入り口は、つまみ手４を付け外しするのに困らない程度にしておく。
（ホ）  尚、じょうろ口体５の開口部６及び散水孔板１の円形は、楕円形にすることも可能である。
（ヘ）  又、本考案は、散水孔板１を、じょうろ口体５に対して、キャップ式にすることも可能であるが、この場合、キャップの付け外しの手間がかかる。